(57)【要約】【課題】  本発明は、画像情報の提供側に対する負担を大幅に低減させる。【解決手段】  本発明は、音楽データ配信サーバＳＶからページ生成用提供情報を受信すると、当該受信したページ生成用提供情報に基づいて生成される楽曲紹介ページ３１がディスプレイ２０に表示可能であるか否かを判別し、当該ディスプレイ２０に楽曲紹介ページ３１の表示が不可能であると判別すると、ページ生成用提供情報に対応する第２の情報を生成し、当該第２の情報に基づいて表示可能楽曲紹介ページ４３、４７を生成してディスプレイ２０に供給する。従って音楽データ配信サーバＳＶに対し、ページ生成用提供情報の受信側の表示能力を何ら気にさせずに１つのページ生成用提供情報のみを提供させ、かくして音楽データ配信サーバＳＶに対する負担を大幅に低減し得る。【選択図】        図６
2006350817.tif 000002
【特許請求の範囲】
【請求項１】
外部装置から画像情報生成用の第１の情報を受信する受信部と、
上記受信部により受信された上記第１の情報に基づいて生成される上記画像情報が、利用可能な表示部に対し表示可能であるか否かを判別する判別部と、
上記判別部により上記表示部に対し上記画像情報の表示が不可能であると判別されたとき、上記第１の情報に対応する第２の情報を生成する対応情報生成部と、
上記対応情報生成部により生成された上記第２の情報に基づいて、上記表示部に表示可能な表示可能画像情報を生成し、当該生成した上記表示可能画像情報を上記表示部に供給する画像情報生成部と
を具えることを特徴とする画像情報生成装置。
【請求項２】
上記受信部は、
上記外部装置から上記第１の情報としての画像データを受信し、
上記対応情報生成部は、
上記判別部により、上記表示部に対し、上記画像データに基づいて生成される上記画像情報の表示が不可能であると判別されたとき、上記画像データに対応する上記第２の情報としての文字データを生成し、
上記画像情報生成部は、
上記対応情報生成部により生成された上記文字データに基づいて上記表示可能画像情報を生成し、当該生成した上記表示可能画像情報を上記表示部に供給する
ことを特徴とする請求項１に記載の画像情報生成装置。
【請求項３】
上記対応情報生成部は、
上記画像データを、対応する上記文字データに変換するための変換テーブルを有し、当該変換テーブルを用いて上記画像データに対応する上記文字データを生成する
ことを特徴とする請求項２に記載の画像情報生成装置。
【請求項４】
上記受信部は、
上記外部装置から上記第１の情報としての画像データの記憶位置を示すネットワークアドレスを受信し、
上記判別部は、
上記ネットワークアドレスの示す上記記憶位置に記憶された上記画像データに基づいて生成される上記画像情報が上記表示部に対し表示可能であるか否かを判別し、
上記対応情報生成部は、
上記判別部により上記表示部に対し上記画像情報の表示が不可能であると判別されたとき、上記第２の情報として、上記ネットワークアドレスに対応する文字データを生成し、
上記画像情報生成部は、
上記対応情報生成部により生成された上記文字データに基づいて上記表示可能画像情報を生成し、当該生成した上記表示可能画像情報を上記表示部に供給する
ことを特徴とする請求項１に記載の画像情報生成装置。
【請求項５】
上記対応情報生成部は、
上記ネットワークアドレスを、対応する上記文字データに変換するための変換テーブルを有し、当該変換テーブルを用いて上記ネットワークアドレスに対応する上記文字データを生成する
ことを特徴とする請求項４に記載の画像情報生成装置。
【請求項６】
上記受信部は、
上記外部装置から上記第１の情報としての文字データを受信し、
上記対応情報生成部は、
上記判別部により、上記表示部に対し、上記文字データに基づいて生成される上記画像情報の表示が可能であると判別されたとき、上記文字データをそのまま上記画像情報生成部に送出し、
上記画像情報生成部は、
上記対応情報生成部から与えられた上記文字データに基づいて上記画像情報を生成し、当該生成した上記画像情報を上記表示部に供給する
ことを特徴とする請求項１に記載の画像情報生成装置。
【請求項７】
上記受信部は、
上記外部装置から上記第１の情報としての画像データを受信し、
上記対応情報生成部は、
上記判別部により、上記表示部に対し、上記画像データに基づいて生成される上記画像情報の表示が不可能であると判別されても、上記画像データに対応する上記第２の情報としての文字データを生成することができないとき、上記画像情報生成部へ上記画像データを送出しない
ことを特徴とする請求項１に記載の画像情報生成装置。
【請求項８】
上記受信部は、
上記外部装置から上記第１の情報としての複数の画像データを受信し、
上記対応情報生成部は、
上記判別部により、上記表示部に対し、上記複数の画像データに基づいて生成される上記画像情報の表示が可能であると判別されたとき、当該複数の画像データをそのまま上記画像情報生成部に送出し、
上記画像情報生成部は、
上記対応情報生成部から与えられた上記複数の画像データを、予め記憶するテンプレートに基づいてそれぞれ配置して上記画像情報を生成し、当該生成した上記画像情報を上記表示部に供給する
ことを特徴とする請求項１に記載の画像情報生成装置。
【請求項９】
外部装置から画像情報生成用の第１の情報を受信する受信ステップと、
上記受信ステップで受信された上記第１の情報に基づいて生成される上記画像情報が、利用可能な表示部に対し表示可能であるか否かを判別する判別ステップと、
上記判別ステップで上記表示部に対し上記画像情報の表示が不可能であると判別されたとき、上記第１の情報に対応する第２の情報を生成する対応情報生成ステップと、
上記対応情報生成ステップで生成された上記第２の情報に基づいて、上記表示部に表示可能な表示可能画像情報を生成し、当該生成した上記表示可能画像情報を上記表示部に供給する画像情報生成ステップと
を具えることを特徴とする画像情報生成方法。
【請求項１０】
情報処理装置に対し、
外部装置から画像情報生成用の第１の情報を受信する受信ステップと、
上記受信ステップで受信された上記第１の情報に基づいて生成される上記画像情報が、利用可能な表示部に対し表示可能であるか否かを判別する判別ステップと、
上記判別ステップで上記表示部に対し上記画像情報の表示が不可能であると判別されたとき、上記第１の情報に対応する第２の情報を生成する対応情報生成ステップと、
上記対応情報生成ステップで生成された上記第２の情報に基づいて、上記表示部に表示可能な表示可能画像情報を生成し、当該生成した上記表示可能画像情報を上記表示部に供給する画像情報生成ステップと
を実行させるための画像情報生成プログラム。
【発明の詳細な説明】
【技術分野】
【０００１】
本発明は画像情報生成装置、画像情報生成方法及び画像情報生成プログラムに関し、例えばデータ取得装置により、ネットワーク上で提供されている音楽データを取得する場合に適用して好適なものである。
【背景技術】
【０００２】
従来のサービス提供システムでは、端末に対し当該端末で表示可能な画像の表示サイズ等を示す端末属性情報を予め埋め込んでいる。そしてネットワーク上のサービス提供者は、端末から端末属性情報を取り込むと、当該取り込んだ端末属性情報に応じて端末で表示可能な表示サイズ等の画像データを送信する。これにより端末は、自己で表示可能な画像を的確に表示していた（例えば、特許文献１参照）。
【特許文献１】特開２００５−７０９２４公報（第１１頁）
【発明の開示】
【発明が解決しようとする課題】
【０００３】
ところがかかる構成のサービス提供システムでは、サービス提供者が端末に対し画像データを提供するとき、端末属性情報に応じて、提供対象の画像データに対する表示サイズ等の仕様（以下、これを表示仕様と呼ぶ）を端末で表示可能な表示仕様（すなわち、表示サイズ等）に変換している。このためサービス提供者は、端末への画像データの提供時に処理負荷が著しく増大する。
【０００４】
またかかるサービス提供システムでは、端末に識別情報を埋め込むと共に、サービス提供者で当該識別情報と端末属性情報とを対応付けたテーブルを記憶しておくように構成することもできる。そしてかかる構成の場合、サービス提供システムにおいてサービス提供者は、端末から送信された識別情報を、テーブルを用いて対応する端末属性情報に変換し、その端末属性情報に応じて、提供対象の画像データに対する表示仕様を端末の表示仕様に変換している。ところがかかる構成によれば、サービス提供者は、端末への画像データの提供時に処理負荷が著しく増大すると共に、識別情報と端末属性情報とを対応付けたテーブルを記憶して管理する必要もある。
【０００５】
従って従来のサービス提供システムでは、上述した何れの構成としても、画像データの提供側となるサービス提供者が、端末に提供する画像データを加工処理するため、当該サービス提供者の負担が著しく大きいという問題があった。
【０００６】
本発明は以上の点を考慮してなされたもので、画像情報の提供側に対する負担を大幅に低減し得る画像情報生成装置、画像情報生成方法及び画像情報生成プログラムを提案しようとするものである。
【課題を解決するための手段】
【０００７】
かかる課題を解決するため本発明においては、画像情報生成装置等のように第１の情報を受信する受信側において、外部装置から画像情報生成用の第１の情報を受信すると、当該受信した第１の情報に基づいて生成される画像情報が、利用可能な表示部に対し表示可能であるか否かを判別し、その結果、表示部に対し画像情報の表示が不可能であると判別したとき、第１の情報に対応する第２の情報を生成すると共に、当該第２の情報に基づいて、表示部に表示可能な表示可能画像情報を生成し、かかる表示可能画像情報を表示部に供給するようにした。
【０００８】
従って本発明では、第１の情報の受信側が表示部の表示能力に応じて表示可能画像情報を生成するため、外部装置等のような画像情報の提供側に対し、第１の情報の受信側における表示能力を何ら気にさせずに、当該受信側に１つの表示仕様の画像情報を生成するための第１の情報のみを提供させることができる。
【発明の効果】
【０００９】
本発明によれば、外部装置から画像情報生成用の第１の情報を受信すると、当該受信した第１の情報に基づいて生成される画像情報が、利用可能な表示部に対し表示可能であるか否かを判別し、その結果、表示部に対し画像情報の表示が不可能であると判別したとき、第１の情報に対応する第２の情報を生成すると共に、当該第２の情報に基づいて、表示部に表示可能な表示可能画像情報を生成し、かかる表示可能画像情報を表示部に供給するようにしたことにより、外部装置等のような画像情報の提供側に対し、第１の情報の受信側における表示能力を何ら気にさせずに、当該受信側に１つの表示仕様の画像情報を生成するための第１の情報のみを提供させることができ、かくして画像情報の提供側に対する負担を大幅に低減し得る画像情報生成装置、画像情報生成方法及び画像情報生成プログラムを実現することができる。
【発明を実施するための最良の形態】
【００１０】
以下図面について、本発明の一実施の形態を詳述する。
【００１１】
（１）第１の実施の形態
図１において、１は全体として第１の実施の形態による画像情報生成装置の機能回路ブロックによるハードウェア構成を示す。かかるハードウェア構成の画像情報生成装置１において、受信部２は、外部装置ＯＡから画像情報生成用の第１の情報を受信する。また画像情報生成装置１において、判別部３は、受信部２により受信された第１の情報に基づいて生成される画像情報が、当該画像情報生成装置１で利用可能な表示部に対し表示可能であるか否かを判別する。因みに画像情報生成装置１で利用可能な表示部は、当該画像情報生成装置１の筐体表面に直接取り付けられている場合や外付けされている場合があるため、かかる表示部を図１には特に図示しない。そして画像情報生成装置１において、対応情報生成部４は、判別部３により表示部に対し画像情報の表示が不可能であると判別されたとき、第１の情報に対応する第２の情報を生成する。これにより画像情報生成装置１において、画像情報生成部５は、対応情報生成部４により生成された第２の情報に基づいて、表示部に表示可能な表示可能画像情報を生成し、当該生成した表示可能画像情報を表示部に供給する。
【００１２】
また画像情報生成装置１において、受信部２は、外部装置ＯＡから第１の情報としての画像データを受信することができる。この場合、対応情報生成部４は、判別部３により、表示部に対し、画像データに基づいて生成される画像情報の表示が不可能であると判別されると、当該画像データに対応する第２の情報としての文字データを生成する。そして画像情報生成部５は、対応情報生成部４により生成された文字データに基づいて表示可能画像情報を生成し、当該生成した表示可能画像情報を表示部に供給する。ところで対応情報生成部４は、画像データを、対応する文字データに変換するための変換テーブルを有し、当該変換テーブルを用いて、受信部２により受信された画像データに対応する文字データを生成する。
【００１３】
さらに画像情報生成装置１において、受信部２は、外部装置ＯＡから第１の情報としての画像データの記憶位置を示すネットワークアドレスを受信することもできる。この場合、判別部３は、かかるネットワークアドレスの示す記憶位置に記憶された画像データに基づいて生成される画像情報が、表示部に対し表示可能であるか否かを判別する。そして対応情報生成部４は、判別部３により表示部に対し画像情報の表示が不可能であると判別されたとき、第２の情報として、ネットワークアドレスに対応する文字データを生成する。これにより画像情報生成部５は、対応情報生成部４により生成された文字データに基づいて表示可能画像情報を生成し、当該生成した表示可能画像情報を表示部に供給する。ところで対応情報生成部４は、ネットワークアドレスを、対応する文字データに変換するための変換テーブルを有し、当該変換テーブルを用いて、受信部２により受信されたネットワークアドレスに対応する文字データを生成する。
【００１４】
さらに画像情報生成装置１において、受信部２は、外部装置ＯＡから第１の情報としての文字データを受信することもできる。この場合、対応情報生成部４は、判別部３により、表示部に対し、文字データに基づいて生成される画像情報の表示が可能であると判別されると、当該文字データをそのまま画像情報生成部に送出する。これにより画像情報生成部５は、対応情報生成部４から与えられた文字データに基づいて画像情報を生成し、当該生成した画像情報を表示部に供給する。
【００１５】
ところで画像情報生成装置１において受信部２が、外部装置ＯＡから第１の情報としての画像データを受信した場合、対応情報生成部４は、判別部３により、表示部に対し、画像データに基づいて生成される画像情報の表示が不可能であると判別されても、画像データに対応する第２の情報としての文字データを生成することができないときには、画像情報生成部５へ画像データを送出しないようにする。
【００１６】
これに加えて画像情報生成装置１において、受信部２は、外部装置ＯＡから第１の情報としての複数の画像データを受信することもできる。この場合、対応情報生成部４は、判別部３により、表示部に対し、複数の画像データに基づいて生成される画像情報の表示が可能であると判別されると、当該複数の画像データをそのまま画像情報生成部５に送出する。そして画像情報生成部５は、対応情報生成部４から与えられた複数の画像データを、予め記憶するテンプレートに基づいてそれぞれ配置して画像情報を生成し、当該生成した画像情報を表示部に供給する。
【００１７】
以上の構成において、画像情報生成装置１は、受信部２により外部装置ＯＡから画像情報生成用の第１の情報を受信すると、判別部３により、当該受信した第１の情報に基づいて生成される画像情報が、利用可能な表示部に対し表示可能であるか否かを判別する。その結果、画像情報生成装置１は、判別部３により、表示部に対し画像情報の表示が不可能であると判別すると、対応情報生成部４により、第１の情報に対応する第２の情報を生成すると共に、画像情報生成部５により、当該第２の情報に基づいて、表示部に表示可能な表示可能画像情報を生成し、かかる表示可能画像情報を表示部に供給する。
【００１８】
従って画像情報生成装置１は、表示部の表示能力に応じて表示可能画像情報を生成するため、画像情報の提供側である外部装置ＯＡに対し、当該表示部の表示能力を何ら気にさせずに、自己に１つの表示仕様の画像情報を生成するための第１の情報のみを提供させることができる。
【００１９】
以上の構成によれば、画像情報生成装置１において、外部装置ＯＡから画像情報生成用の第１の情報を受信すると、当該受信した第１の情報に基づいて生成される画像情報が、利用可能な表示部に対し表示可能であるか否かを判別し、その結果、表示部に対し画像情報の表示が不可能であると判別したとき、第１の情報に対応する第２の情報を生成すると共に、当該第２の情報に基づいて、表示部に表示可能な表示可能画像情報を生成し、かかる表示可能画像情報を表示部に供給するようにした。これにより画像情報生成装置１は、画像情報の提供側である外部装置ＯＡに対し、表示部の表示能力を何ら気にさせずに、自己に１つの表示仕様の画像情報を生成するための第１の情報のみを提供させることができ、かくして外部装置ＯＡのような画像情報の提供側に対する負担を大幅に低減させることができる。
【００２０】
（２）第２の実施の形態
図２において、１０は全体として第２の実施の形態による音楽データ提供システムを示し、データ取得装置１１がネットワークＮＴ上の音楽データ配信サーバＳＶと接続して通信し得るように構成されている。この場合、音楽データ配信サーバＳＶは、配信対象の複数の楽曲を、ＡＴＲＡＣ３（Adaptive Transform Acoustic Coding 3）、ＡＡＣ（Advanced Audio Coding ）、ＷＭＡ（Windows（登録商標） Media Audio ）、ＲｅａｌＡＵＤＩＯ  Ｇ２  Ｍｕｓｉｃ  Ｃｏｄｅｃ、ＭＰ３（MPEG Audio Layer-3）形式等でなる音楽データとしてデータ取得装置１１に配信する、音楽データ配信サービスを提供する。従ってデータ取得装置１１は、音楽データ配信サーバＳＶからユーザの所望する楽曲の音楽データを取得し、当該取得した音楽データに基づく楽曲をユーザに聴取させることができる。
【００２１】
ここで図３を用いて、データ取得装置１１のハードウェア回路ブロックによるハードウェア構成を説明する。図３に示すように、データ取得装置１１は、自己の筐体表面やリモートコントローラ（図示せず）に設けられた各種操作ボタンでなる操作入力部１２がユーザによって操作されると、その操作に応じた操作入力信号を入力処理部１３に送出する。入力処理部１３は、操作入力部１２から与えられる操作入力信号に対して所定の処理を施すことにより、当該操作入力信号を操作コマンドに変換し、これをバス１４を介して中央処理ユニット（CPU:Central Processing Unit ）１５に送出する。
【００２２】
中央処理ユニット１５は、ＲＯＭ（Read Only Memory）１６又はハードディスクドライブ１７に予め記憶されている基本プログラムや画像情報生成表示プログラム等の各種プログラムをバス１４を介して、当該中央処理ユニット１５のワークエリアであるＲＡＭ（Random Access Memory）１８に読み出す。そして中央処理ユニット１５は、ＲＡＭ１８に読み出した各種プログラムに従って全体を制御すると共に、所定の演算処理や、入力処理部１３から与えられる操作コマンドに応じた各種処理を実行する。
【００２３】
これにより中央処理ユニット１５は、自己の実行した所定の演算処理や、操作コマンドに応じた各種処理等の処理結果を、文字データや画像データ等の表示データとして表示処理部１９に送出する。表示処理部１９は、中央処理ユニット１５から与えられた表示データを、内部のビデオＲＡＭ等でなる表示バッファに展開して一時記憶することにより当該表示バッファ上で表示データに基づく文字や画像等の画像情報を生成する。そして表示処理部１９は、かかる表示バッファの所定のアドレス位置から表示データを順次読み出してディスプレイ２０に送出することにより、当該ディスプレイ２０に対し表示データに基づく画像情報を表示してユーザに目視させる。因みにディスプレイ２０は、画像情報として文字のみを表示可能な冷陰極管や、当該画像情報として文字や画像を表示可能な液晶ディスプレイ及び陰極線管等の表示デバイスであって、筐体表面に直接取り付けられている場合や外付けされている場合がある。
【００２４】
また中央処理ユニット１５は、ユーザにより操作入力部１２を介して所望の楽曲を配信要求するための操作入力信号が入力されると、これに応じて通信処理部２１及びネットワークインタフェース２２を順次介してネットワークＮＴに接続する。この状態で中央処理ユニット１５は、ネットワークＮＴ上の音楽データ配信サーバＳＶにアクセスしてユーザ所望の楽曲を配信要求する。その結果、中央処理ユニット１５は、音楽データ配信サーバＳＶからユーザ所望の楽曲の音楽データが送信されると、当該音楽データをネットワークインタフェース２２及び通信処理部２１を順次介して受信する。そして中央処理ユニット１５は、その音楽データをハードディスクドライブ１７に送出してハードディスクに記録する。
【００２５】
さらに中央処理ユニット１５は、ユーザにより操作入力部１２を介してハードディスクドライブ１７内の音楽データが指定され、かつ当該指定された音楽データを再生要求するための操作入力信号が入力されると、これに応じてハードディスクドライブ１７のハードディスクから、当該指定された音楽データを読み出して音声処理部２３に送出する。音声処理部２３は、このとき中央処理ユニット１５から与えられた音楽データに対しデコード処理を施した後、デジタルアナログ変換処理及び増幅処理等の音声処理を施し、得られた音楽信号をスピーカ２４に送出する。これにより音声処理部２３は、スピーカ２４から音楽信号に基づく楽曲を出力させユーザに聴かせることができる。
【００２６】
ところで音楽データ提供システム１０では、データ取得装置１１において所望の楽曲の音楽データを取得する場合、ユーザに対し、配信対象の複数の楽曲を紹介するための楽曲紹介ページや、所望の楽曲を音楽データとして購入するための楽曲購入ページ等の種々の楽曲取得用画像情報を用いている。この場合、楽曲紹介ページは、その背景となるテンプレートの種々の位置に各種イメージ画像（動画、静止画等）や文字等のプレート内画像情報が配置されて構成されている。また音楽データ配信サーバＳＶ側では、楽曲紹介ページに対し、その背景となるテンプレートの表示サイズ（この場合、テンプレートの表示サイズは楽曲紹介ページ全体の表示サイズでもあり、以下、この表示サイズをプレート表示サイズと呼ぶ）や、当該テンプレート内に配置されるイメージ画像の表示サイズ（以下、これをイメージ画像表示サイズと呼ぶ）、文字のフォント及び表示色等からなる表示の際の仕様（以下、これをページ表示仕様と呼ぶ）を任意に１つ選定している。
【００２７】
そして音楽データ配信サーバＳＶは、予め選定された１つのページ表示仕様の楽曲紹介ページを生成するために用いる、例えばＸＭＬ（eXtensible Markup Language）で記述された１つのページ生成用提供情報を予め保持している。かかるページ生成用提供情報は、楽曲紹介ページの背景となるテンプレートを指定するテンプレート指定情報や、当該指定されたテンプレート（以下、これを特に指定テンプレートと呼ぶ）内における種々のプレート内画像情報（すなわち、イメージ画像及び文字等）の配置位置を指定する配置位置指定情報、これらプレート内画像情報のデータ（すなわち、イメージ画像のイメージ画像データや文字の文字データ等であり、以下、これをプレート内表示データと呼ぶ）に対するネットワークＮＴ上の記憶位置を示すネットワークアドレス（すなわち、プレート内表示データを取得するためのネットワークアドレス）等のように楽曲紹介ページ生成用の種々の情報（以下、これらを第１の情報と呼ぶ）を含んで構成されている。また音楽データ配信サーバＳＶは、例えば楽曲紹介ページの生成に用いる第１の情報として、各種プレート内表示データ自体もそれぞれネットワークアドレスと対応付けて予め保持している。
【００２８】
因みに上述した楽曲購入ページ等の他の楽曲取得用画像情報についても、楽曲紹介ページと同様に、音楽データ配信サーバＳＶ側でページ表示仕様が任意に１つ選定され、指定テンプレートや、イメージ画像及び文字等から構成されている。そして音楽データ配信サーバＳＶは、予め選定された１つのページ表示仕様のこれら他の楽曲取得用画像情報の生成に用いるページ生成用提供情報も予め保持している。
【００２９】
従ってデータ処理装置１１の中央処理ユニット１５は、音楽データ配信サーバＳＶから音楽データを取得する場合、当該音楽データの取得に先立ちユーザにより操作入力部１２を介して、ページ生成用提供情報を取得要求するための操作入力信号が入力されると、これに応じて情報取得要求信号を通信処理部２１及びネットワークインタフェース２２を順次介して音楽データ配信サーバＳＶに送信する。その結果、中央処理ユニット１５は、音楽データ配信サーバＳＶからページ生成用提供情報が送信されると、当該ページ生成用提供情報をネットワークインタフェース２２及び通信処理部２１を順次介して受信する。
【００３０】
ここで中央処理ユニット１５は、ＲＯＭ１６、又はハードディスクドライブ１７のハードディスクに対し、１又は複数（すなわち、プレート表示サイズの異なる複数）のテンプレートをテンプレートデータとして記憶している。因みに中央処理ユニット１５は、例えば、ＲＯＭ１６、又はハードディスクドライブ１７のハードディスクに対し、自己が画像情報の表示に利用可能なディスプレイ２０で実際に表示可能なプレート表示サイズのテンプレートのみをテンプレートデータとして記憶することで、当該ディスプレイ２０に対し指定テンプレートの表示が可能な場合は、かかる指定テンプレートのテンプレートデータ（以下、これを特に指定テンプレートデータと呼ぶ）も記憶し、ディスプレイ２０に対し指定テンプレートの表示が不可能な場合は、指定テンプレートデータを記憶しないようにしている。また中央処理ユニット１５は、ＲＯＭ１６、又はハードディスクドライブ１７のハードディスクに対し、ディスプレイ２０の表示能力を示す表示能力情報も記憶している。この場合、かかる表示能力情報は、ディスプレイ２０で実際に表示可能な１又は複数のプレート表示サイズのテンプレートを示すテンプレート情報や、当該ディスプレイ２０がイメージ画像を表示可能な構成のものであるか否かを示すイメージ画像表示可否情報等から構成されている。因みにディスプレイ２０に表示可能なテンプレートとは、当該ディスプレイ２０の表示画面に対し全体を一括して表示可能なテンプレート、又はディスプレイ２０の表示画面に対し一部分のみしか表示し得ないテンプレートでも、ユーザ操作に応じて表示画面の水平方向及び垂直方向の何れか一方にスクロール表示することで、全体を表示可能なテンプレートである。
【００３１】
従って中央処理ユニット１５は、音楽データ配信サーバＳＶからページ生成用提供情報を受信すると、そのページ生成用提供情報と表示能力情報とに基づいてディスプレイ２０に対し、当該ページ生成用提供情報に基づいて生成される（すなわち、ページ表示仕様通りに生成される）楽曲紹介ページを表示可能であるか否かを判別する。その結果、中央処理ユニット１５は、ディスプレイ２０が、ページ生成用提供情報内のテンプレート指定情報で指定されている指定テンプレートを表示可能であり、かつイメージ画像を表示可能な構成を有していると、当該ディスプレイ２０に対しページ生成用提供情報に基づいて生成される（すなわち、ページ表示仕様通りに生成される）楽曲紹介ページを表示可能であると判別する。
【００３２】
このとき中央処理ユニット１５は、ＲＯＭ１６、又はハードディスクドライブ１７のハードディスクから、ページ生成用提供情報内のテンプレート指定情報で指定されている指定テンプレートの指定テンプレートデータを読み出す。また中央処理ユニット１５は、通信処理部２１及びネットワークインタフェース２２を順次介してネットワークＮＴに接続し、図４に示すように、かかるページ生成用提供情報内のネットワークアドレスに従って対応する第１の情報としての各種プレート内表示データ３０（すなわち、イメージ画像データや文字データ等）を取得する。
【００３３】
そして中央処理ユニット１５は、指定テンプレートデータ及び各種プレート内表示データ３０を表示処理部１９に送出する。このとき中央処理ユニット１５は、ページ生成用提供情報内の配置位置指定情報に従い表示処理部１９の表示バッファに対し、これら指定テンプレートデータ及び各種プレート内表示データ３０を展開して（すなわち、指定テンプレートデータに基づく指定テンプレート及び各種プレート内表示データ３０に基づくプレート内画像情報（すなわち、イメージ画像や文字等）を生成して）一時記憶する。これにより中央処理ユニット１５は、表示バッファ上で指定テンプレート内に各種プレート内画像情報を配置して、音楽データ配信サーバＳＶ側で選定されたページ表示仕様通りの楽曲紹介ページを生成する。この際、表示処理部１９は、中央処理ユニット１５の制御のもと、かかる表示バッファの所定のアドレス位置から、楽曲紹介ページを生成した状態の指定テンプレートデータ及びプレート内表示データ３０（以下、楽曲紹介ページを生成した状態の指定テンプレートデータ及びプレート内表示データ３０をまとめて楽曲紹介ページデータと呼ぶ）を順次読み出してディスプレイ２０に送出することにより、当該ディスプレイ１９に対し図５に示すような楽曲紹介ページ３１を表示させる。
【００３４】
この場合、音楽データ配信サーバＳＶ側で選定されたページ表示仕様通りに生成された楽曲紹介ページ３１は、例えば垂直方向左上側にタイトル画像３２（図４に示す「Ｔｉｔｌｅ．ＧＩＦ」と言うファイル名が付されたイメージ画像データに基づくイメージ画像である）が表示されると共に、当該タイトル画像３２の下側に４つのジャケット画像３３乃至３６（図４に示す「Ａｌｂｕｍ１．ｊｐｇ」、「Ａｌｂｕｍ２．ｊｐｇ」、「Ａｌｂｕｍ３．ｊｐｇ」及び「Ａｌｂｕｍ４．ｊｐｇ」と言うファイル名が付されたイメージ画像データに基づくイメージ画像である）が２行２列の行列形態で表示（以下、このような行列形態の表示をパネル表示と呼ぶ）されている。また楽曲紹介ページ３１は、４つのジャケット画像３３乃至３６の下側に文字３７（図４に示す「文字情報」に対応する文字データに基づく文字である）が１行で表示されると共に、これら４つのジャケット画像３３乃至３６及び文字３７の右側に、他の楽曲取得用画像情報を表示切替用に選択するための３つの表示切替画像３８乃至４０（図４に示す「ＤｏｗｎＬｏａｄ．ｊｐｇ」、「ＣＤＳｈｏｐ．ｊｐｇ」及び「ＯｎＡｉｒＩｎｆｏ．ｊｐｇ」と言うファイル名が付されたイメージ画像データに基づくイメージ画像である）が１列に表示（以下、このような１列の表示をリスト表示と呼ぶ）されている。
【００３５】
因みに楽曲紹介ページ３１において鉛直方向左下側には、当該楽曲紹介ページ３１上で各種入力を行う際に、リモートコントローラ等に設けられた各種操作ボタン（すなわち、操作入力部１２）のうち操作命令の入力に利用可能な操作ボタンを示すボタンマークが表示されている。そして、かかるボタンマークは例えば指定テンプレートに予め描かれている。このようにして中央処理ユニット１５は、ディスプレイ２０が、音楽データ配信サーバＳＶ側で選定されたページ表示仕様通りの楽曲紹介ページ３１を表示可能な表示能力を有している場合、かかるディスプレイ２０に対し当該ページ表示仕様通りの楽曲紹介ページ３１を表示してユーザに見せることができる。
【００３６】
また中央処理ユニット１５は、ディスプレイ２０に対しページ表示仕様通りの楽曲紹介ページ３１を表示可能であるか否かを判別した結果、当該ディスプレイ２０がイメージ画像を表示可能な構成は有しているものの、ページ生成用提供情報内のテンプレート指定情報で指定されている指定テンプレートのプレート表示サイズが、ディスプレイ２０で実際に表示可能なテンプレートのプレート表示サイズよりも大きすぎると（すなわち、指定テンプレートを水平方向及び垂直方向のいずれか一方にのみスクロール表示したとしても、その全体を表示し難いと）、当該ディスプレイ２０に対しページ表示仕様通りの楽曲紹介ページ３１の表示は不可能であると判別する。このとき中央処理ユニット１５は、図５について上述した楽曲紹介ページ３１とは異なり、ディスプレイ２０に対し実際に表示可能な楽曲紹介ページ（以下、これを表示可能楽曲紹介ページと呼ぶ）の生成に用いる種々の情報（以下、これらを特に第２の情報と呼ぶ）を用意する。
【００３７】
この場合、中央処理ユニット１５は、通信処理部２１及びネットワークインタフェース２２を順次介してネットワークＮＴに接続し、ページ生成用提供情報内のネットワークアドレスに従い対応する第１の情報としての各種プレート内表示データ３０（すなわち、イメージ画像データや文字データ等）を取得する。また中央処理ユニット１５は、ページ生成用提供情報内のテンプレート指定情報を無視して、表示能力情報に従い、ＲＯＭ１６、又はハードディスクドライブ１７のハードディスクから、ディスプレイ２０で実際に表示可能なプレート表示サイズのテンプレートのテンプレートデータを選定して読み出す。
【００３８】
そして中央処理ユニット１５は、各種プレート内表示データ３０、及びディスプレイ２０の表示能力に合わせて自己が選定したテンプレートデータ（以下、これを特に選定テンプレートデータと呼ぶ）を第２の情報として表示処理部１９に送出する。このとき中央処理ユニット１５は、例えば予め設定された配置位置設定情報に従い表示処理部１９の表示バッファに対し、これら選定テンプレートデータ及び各種プレート内表示データ３０を展開して（すなわち、選定テンプレートデータに基づくテンプレート（以下、これを特に選定テンプレートと呼ぶ）及び各種プレート内表示データ３０に基づくプレート内画像情報（すなわち、イメージ画像や文字等）を生成して）一時記憶する。これにより中央処理ユニット１５は、表示バッファ上で選定テンプレート内に各種プレート内画像情報を配置して表示可能楽曲紹介ページを生成する。この際、表示処理部１９は、中央処理ユニット１５の制御のもと、かかる表示バッファの所定のアドレス位置から、表示可能楽曲紹介ページを生成した状態の選定テンプレートデータ及びプレート内表示データ３０（以下、表示可能楽曲紹介ページを生成した状態の選定テンプレートデータ及びプレート内表示データ３０をまとめて表示可能楽曲紹介ページデータと呼ぶ）を順次読み出してディスプレイ２０に送出することにより、当該ディスプレイ１９に対し図６に示す表示可能楽曲紹介ページ４３を表示させる。
【００３９】
この場合、中央処理ユニット１５によりディスプレイ２０の表示能力に合わせて生成された表示可能楽曲紹介ページ４３は、例えば帯状の選定テンプレート４４内に、矢印ａに示す当該選定テンプレート４４の長手方向に沿って、タイトル画像３２、文字３７Ａ（かかる文字３７Ａは、図５について上述した文字３７に相当する）、４つのジャケット画像３３乃至３６、３つの表示切替画像３８乃至４０がリスト表示されて構成されている。因みに中央処理ユニット１５は、表示可能楽曲紹介ページ４３において、文字データに基づく文字３７Ａの字数が比較的多いために、当該文字３７Ａをテンプレート４４の幅内に１行で表示し難い場合は、かかる文字３７Ａを図示のように数行に分けて表示させる。
【００４０】
このようにして中央処理ユニット１５は、ディスプレイ２０が、イメージ画像を表示可能な構成は有しているものの、ページ表示仕様で規定されたプレート表示サイズの指定テンプレート全体を表示することができない表示能力を有している場合、かかるディスプレイ２０に対し、その表示能力に応じた表示仕様の表示可能楽曲紹介ページ４３を表示してユーザに見せることができる。因みに中央処理ユニット１５は、ディスプレイ２０に対し表示可能楽曲紹介ページ４３全体を一括して表示し難い場合には、その一部分のみを表示しておき、ユーザ操作に応じて当該表示可能楽曲紹介ページ４３をスクロール表示することにより、全体を目視させる。
【００４１】
さらに中央処理ユニット１５は、ディスプレイ２０に対しページ表示仕様通りの楽曲紹介ページ３１を表示可能であるか否かを判別した結果、当該ディスプレイ２０がイメージ画像の表示は不可能な構成を有していると、この際にもディスプレイ２０に対しページ表示仕様通りの楽曲紹介ページ３１の表示が不可能であると判別する。このとき中央処理ユニット１５は、通信処理部２１及びネットワークインタフェース２２を順次介してネットワークＮＴに接続し、ページ生成用提供情報内のネットワークアドレスに従い対応するイメージ画像データや文字データ等の各種プレート内表示データ３０（図４）を取得する。
【００４２】
ここで図７に示すように、中央処理ユニット１５は、ＲＯＭ１６、又はハードディスクドライブ１７のハードディスクに対し、例えば第１の情報としてのイメージ画像データのファイル名を、対応する文字データに変換するための変換テーブルを予め記憶している。従って中央処理ユニット１５は、かかる判別結果を得たとき、変換テーブルを用いて、各種プレート内表示データ３０として取得したイメージ画像データの例えば英数字でなるファイル名を、日本語表記を含む文字に変換するようにして、当該変換した文字の文字データを生成する。すなわち、中央処理ユニット１５は、イメージ画像を、ディスプレイ２０に表示可能な対応する文字に変換する。そして中央処理ユニット１５は、このように変換テーブルを用いて生成した各種文字データを、第１の情報のプレート内表示データ３０として取得したイメージ画像データ及び文字データのうちの当該文字データと共に、表示可能楽曲紹介ページ生成用の新たなプレート内表示データ４５とする。
【００４３】
ただし中央処理ユニット１５は、例えば図５及び図６について上述した「Ａ−Ｍｕｓｉｃ」と言う具体的なタイトル文字を含むタイトル画像３２に対応する「Ｔｉｔｌｅ．ＧＩＦ」と言うファイル名のように、イメージ画像の具体的な内容を想起させ難いファイル名や、楽曲紹介ページ（楽曲取得用画像情報）から削除されても当該楽曲紹介ページを介してユーザに伝えるべき事項にあまり影響を及ぼさないようなイメージ画像に対応するファイル名等を、予め設定されている設定情報に基づき、ファイル名の拡張子や変換テーブル内の記述に応じて、他のファイル名とは区別する。そして中央処理ユニット１５は、このように区別したファイル名を、対応する文字には変換しないようにする。これにより中央処理ユニット１５は、表示可能楽曲紹介ページの生成に用いる文字データを適宜削減し得るようになされている。
【００４４】
中央処理ユニット１５は、このようにして新たなプレート内表示データ４５を生成すると、表示能力情報に従い、ＲＯＭ１６、又はハードディスクドライブ１７のハードディスクから、ディスプレイ２０で実際に表示可能なプレート表示サイズの選定テンプレートの選定テンプレートデータを読み出す。そして中央処理ユニット１５は、これら選定テンプレートデータ及び各種プレート内表示データ４５を第２の情報として表示処理部１９に送出する。このとき中央処理ユニット１５は、配置位置設定情報に従い表示処理部１９の表示バッファに対し、これら選定テンプレートデータ及び各種プレート内表示データ４５を展開して（すなわち、選定テンプレートデータに基づく選定テンプレート及び各種プレート内表示データ４５に基づくプレート内画像情報（すなわち、文字データに基づく文字）を生成して）一時記憶する。これにより中央処理ユニット１５は、表示バッファ上で選定テンプレート内に各種プレート内画像情報（すなわち、文字）を配置して表示可能楽曲紹介ページを生成する。この際、表示処理部１９は、中央処理ユニット１５の制御のもと、かかる表示バッファの所定のアドレス位置から、表示可能楽曲紹介ページを生成した状態の選定テンプレートデータ及びプレート内表示データ４５を表示可能楽曲紹介ページデータとして順次読み出してディスプレイ２０に送出することにより、当該ディスプレイ１９に対し図８に示す表示可能楽曲紹介ページ４７を表示させる。
【００４５】
この場合、中央処理ユニット１５によりディスプレイ２０の表示能力に合わせて生成された表示可能楽曲紹介ページ４７は、例えば帯状の選定テンプレート４８内に、矢印ｂに示す当該選定テンプレート４８の長手方向に沿って、プレート内表示データ３０として取得した文字データに基づく文字３７Ａ、及び変換テーブルを用いて生成した文字データに基づく文字４９乃至５５がリスト表示されて構成されている。このようにして中央処理ユニット１５は、ディスプレイ２０が、イメージ画像の表示は不可能な構成を有している場合、かかるディスプレイ２０に対し、その表示能力に応じた表示仕様の表示可能楽曲紹介ページ４７を表示してユーザに見せることができる。因みに中央処理ユニット１５は、ディスプレイ２０に対し表示可能楽曲紹介ページ４７全体を一括して表示し難い場合には、その一部分のみを表示しておき、ユーザ操作に応じて当該表示可能楽曲紹介ページ４７をスクロール表示することにより、全体を目視させる。
【００４６】
ところでページ表示仕様通りの楽曲紹介ページ３１は、例えば、ユーザに対し楽曲紹介用の各種情報を直感的に理解し易くするために、文字よりもイメージ画像が多く用いられて構成されている場合がある。このため中央処理ユニット１５は、楽曲紹介ページ３１の生成に用いられるイメージ画像の種類によっては、ディスプレイ２０に対しページ表示仕様通りの楽曲紹介ページ３１の表示が不可能であると判別したとき、第１の情報としての各種イメージ画像データのファイル名から、それぞれ対応する第２の情報としての文字データを生成しようとしても、これら全ての、又はほとんどのイメージ画像データのファイル名を、対応する文字には変換することができないファイル名として区別する可能性がある。そして中央処理ユニット１５は、イメージ画像データのファイル名の全て、又はほとんどを対応する文字に変換することができない場合、表示可能楽曲紹介ページ４７を生成しても、かかる表示可能楽曲紹介ページ４７に対し、楽曲紹介用の各種情報を盛り込むことができないため、本来、ページ表示仕様通りの楽曲紹介ページ３１を介してユーザに伝えるはずであった楽曲紹介用の各種情報の全て、又はほとんどを伝え難くなる。
【００４７】
従って中央処理ユニット１５は、音楽データ配信サーバＳＶから第１の情報として取得したイメージ画像データのファイル名の全て、又はほとんどを対応する文字に変換することができないとき（すなわち、予め設定された所定数以上のイメージ画像データのファイル名を、対応する文字に変換することができないとき）には、例えば予め設定された設定情報に従い、この際に音楽データ配信サーバＳＶから第１の情報として文字データを取得しているか否かにかかわらずに表示可能楽曲紹介ページ４７の生成を取り止める。そして中央処理ユニット１５は、表示可能楽曲紹介ページ４７の生成を取り止めたときには、表示処理部１９に対し選定テンプレートデータやプレート内表示データ４５を送出しないようにする。その替わり中央処理ユニット１５は、ディスプレイ２０に対し、音楽データ配信サーバＳＶから取得した楽曲紹介ページ３１を表示することができないことを示すメッセージ（以下、これを表示不可能通知メッセージと呼ぶ）を表示することにより、当該表示不可能通知メッセージによりユーザに対し、楽曲紹介ページを表示することができないことを通知する。
【００４８】
ところで中央処理ユニット１５は、上述した楽曲紹介ページ３１及び表示可能楽曲紹介ページ４３、４７に対する一連の生成表示処理を、ＲＯＭ１６又はハードディスクドライブ１７に予め記憶している画像情報生成表示プログラムに従って実行する。従って、以下には、図９乃至図１１を用いて、画像情報生成表示プログラムに従って実行する画像情報生成表示処理手順ＲＴ１について説明する。
【００４９】
中央処理ユニット１５は、例えばユーザにより操作入力部１２を介して、ページ生成用提供情報を取得要求するための操作入力信号が入力されると、情報取得要求信号を音楽データ配信サーバＳＶに送信しつつ、画像情報生成表示プログラムに従って図９に示す画像情報生成表示処理手順ＲＴ１を開始する。中央処理ユニット１５は、かかる画像情報生成表示処理手順ＲＴ１を開始すると、ステップＳＰ１において、音楽データ配信サーバＳＶに情報取得要求信号を送信した結果、当該音楽データ配信サーバＳＶから送信されたページ生成用提供情報をネットワークインタフェース２２及び通信処理部２１を順次介して受信して、次のステップＳＰ２に移る。
【００５０】
ステップＳＰ２において中央処理ユニット１５は、ページ生成用提供情報内のテンプレート指定情報と、自己が画像情報の表示に利用可能なディスプレイ２０に関する表示能力情報とに基づいて、当該ページ生成用提供情報に基づいて生成される楽曲紹介ページ３１を表示可能であるか否かを判別する。このステップＳＰ２において肯定結果が得られると、このことはディスプレイ２０が、ページ生成用提供情報内のテンプレート指定情報で指定された指定テンプレートを表示可能であり、かつイメージ画像を表示可能な構成を有していることを表している。すなわち、かかる肯定結果は、ディスプレイ２０が、音楽データ配信サーバＳＶで規定されたページ表示仕様通りの楽曲紹介ページ３１を表示可能であることを表している。従って中央処理ユニット１５は、このときステップＳＰ３に移る。ステップＳＰ３において中央処理ユニット１５は、音楽データ配信サーバＳＶからページ生成用提供情報内のネットワークアドレスに従って第１の情報としてのプレート内表示データ３０を取得すると共に、ＲＯＭ１６又はハードディスクドライブ１７から指定テンプレートデータを読み出す。そして中央処理ユニット１５は、これらページ内表示データ３０及び指定テンプレートデータに基づいて表示処理部１９内の表示バッファ上で、音楽データ配信サーバＳＶ側で規定されたページ表示仕様通りの楽曲紹介ページ３１を生成して、次のステップＳＰ４に移る。
【００５１】
ところで上述したステップＳＰ２において否定結果が得られると、このことはディスプレイ２０が、ページ生成用提供情報内のテンプレート指定情報で指定された指定テンプレートの表示は不可能な構成を有している、又はイメージ画像の表示は不可能な構成を有していることを表している。すなわち、かかる否定結果は、ディスプレイ２０に対し音楽データ配信サーバＳＶ側で規定されたページ表示仕様通りの楽曲紹介ページ３１の表示が不可能であることを表している。従って中央処理ユニット１５は、このときステップＳＰ５に移る。
【００５２】
ここで中央処理ユニット１５は、かかるステップＳＰ５に移ると、図１０に示す表示可能画像情報生成サブルーチンＳＲ１を開始する。中央処理ユニット１５は、かかる表示可能画像情報生成サブルーチンＳＲ１を開始すると、ステップＳＰ１０においてディスプレイ２０に対しイメージ画像を表示可能であるか否かを判別する。このステップＳＰ１０において肯定結果が得られると、このことは先のステップＳＰ２においてディスプレイ２０に対しページ表示仕様通りの楽曲紹介ページ３１の表示が不可能であると判別したものの、当該ディスプレイ２０がイメージ画像については表示可能な構成を有していることを表している。従って中央処理ユニット１５は、このとき次のステップＳＰ１１に移る。そしてステップＳＰ１１において中央処理ユニット１５は、音楽データ配信サーバＳＶからページ生成用提供情報内のネットワークアドレスに従って第１の情報としてのプレート内表示データ３０を取得すると共に、ＲＯＭ１６又はハードディスクドライブ１７から選定テンプレートデータを読み出す。これにより中央処理ユニット１５は、これら選定テンプレートデータ及びページ内表示データ３０に基づいて表示処理部１９内の表示バッファ上で、ディスプレイ２０に表示可能な表示可能楽曲紹介ページ４３を生成して、次のステップＳＰ１２に移る。
【００５３】
またステップＳＰ１０において否定結果が得られると、このことはディスプレイ２０がイメージ画像の表示は不可能な構成を有していることを表している。従って中央処理ユニット１５は、このときステップＳＰ１３に移る。ステップＳＰ１３において中央処理ユニット１５は、音楽データ配信サーバＳＶからページ生成用提供情報内のネットワークアドレスに従って第１の情報としてのプレート内表示データ３０を取得する。そして中央処理ユニット１５は、かかるプレート内表示データとして取得したイメージ画像データのファイル名を、対応する文字に変換して第２の情報としての文字データを生成可能であるか否かを判別する。このステップＳＰ１３において肯定結果が得られると、このことは音楽データ配信サーバＳＶから取得した各種イメージ画像データのうち所定数以上のイメージ画像データのファイル名を、対応する文字に変換可能なファイル名であると区別し得たことを表している。従って中央処理ユニット１５は、このとき次のステップＳＰ１４に移る。そしてステップＳＰ１４において中央処理ユニット１５は、変換テーブルに基づき、各種イメージ画像データのファイル名（すなわち、対応する文字に変換可能であると区別したファイル名）を、それぞれ対応する文字に変換して第２の情報としての文字データを生成して、次のステップＳＰ１５に移る。これによりステップＳＰ１５において中央処理ユニット１５は、ＲＯＭ１６又はハードディスクドライブ１７から選定テンプレートデータを読み出すと共に、当該読み出した選定テンプレートデータと、第２の情報として生成した文字データ（及びこの際に第１の情報として取得していた文字データ）とに基づいて表示処理部１９内の表示バッファ上で、ディスプレイ２０に表示可能な表示可能楽曲紹介ページ４７を生成して、次のステップＳＰ１２に移る。
【００５４】
ところで上述したステップＳＰ１３において否定結果が得られると、このことは音楽データ配信サーバＳＶから取得した各種イメージ画像データのうちのほとんどのファイル名を、対応する文字に変換不可能なファイル名であると区別した（すなわち、所定数に満たない数のイメージ画像データのファイル名のみを、対応する文字に変換可能であると区別した）ことを表している。従って中央処理ユニット１５は、このとき表示可能楽曲紹介ページ４７を生成せずに、ステップＳＰ１２に移る。そして中央処理ユニット１５は、ステップＳＰ１２に移ると、かかる表示可能画像情報生成サブルーチンＳＲ１を終了してステップＳＰ４に移る。
【００５５】
中央処理ユニット１５は、ステップＳＰ４に移ると、図１１に示す画像情報表示サブルーチンＳＲ２を開始する。中央処理ユニット１５は、かかる画像情報表示サブルーチンＳＲ２を開始すると、ステップＳＰ２０において表示処理部１９の表示バッファに対し、楽曲紹介ページデータ及び表示可能楽曲紹介ページデータの何れかを一時記憶しているか否かを判別する。このステップＳＰ２０において肯定結果が得られると、このことは、この時点で表示処理部１９の表示バッファに対し、楽曲紹介ページデータ及び表示可能楽曲紹介ページデータの何れか一方を一時記憶していることを表している。すなわち、かかる肯定結果は、このとき楽曲紹介ページデータ及び表示可能楽曲紹介ページデータの何れか一方に基づく楽曲紹介ページ３１又は表示可能楽曲紹介ページ４３、４７をディスプレイ２０に表示可能であることを表している。従って中央処理ユニット１５は、このとき次のステップＳＰ２１に移る。ステップＳＰ２１において中央処理ユニット１５は、表示処理部１９の表示バッファからその時点で一時記憶している楽曲紹介ページデータ又は表示可能楽曲紹介ページデータを読み出してディスプレイ２０に送出させることにより、当該ディスプレイ２０に対し楽曲紹介ページデータ又は表示可能楽曲紹介ページデータに基づく楽曲紹介ページ３１又は表示可能楽曲紹介ページ４３、４７を表示して、次のステップＳＰ２２に移る。
【００５６】
またステップＳＰ２０において否定結果が得られると、このことは、この時点で表示処理部１９の表示バッファに対し、楽曲紹介ページデータ及び表示可能楽曲紹介ページデータの何れも一時記憶してはいないことを表している。すなわち、かかる否定結果は、このとき楽曲紹介ページデータ及び表示可能楽曲紹介ページデータに基づく楽曲紹介ページ３１及び表示可能楽曲紹介ページ４３、４７の何れもディスプレイ２０には表示し得ないことを表している。従って中央処理ユニット１５は、このときステップＳＰ２３に移る。そしてステップＳＰ２３において中央処理ユニット１５は、表示処理部１９を介してディスプレイ２０に対し、表示不可能通知メッセージを表示して、ステップＳＰ２２に移る。このようにして中央処理ユニット１５は、ステップＳＰ２２に移ると、かかる画像情報表示サブルーチンＳＲ２を終了してステップＳＰ６に移る。そして中央処理ユニット１５は、ステップＳＰ６に移ると、かかる画像情報生成表示処理手順ＲＴ１を終了する。
【００５７】
なおこの実施の形態の場合、データ取得装置１１の中央処理ユニット１５は、音楽データ配信サーバＳＶから、楽曲購入ページ等の他の楽曲取得用画像情報生成用の、ページ生成用提供情報を取得した際にも、上述した楽曲紹介ページ３１生成用のページ生成用提供情報を取得したときと同様に、自己のディスプレイ２０の表示能力に合わせた楽曲取得用画像情報を生成して表示する。
【００５８】
以上の構成において、データ取得装置１１の中央処理ユニット１５は、音楽データ配信サーバＳＶからページ生成用提供情報を受信すると（ステップＳＰ１）、当該受信したページ生成用提供情報に基づいてページ表示仕様通りに生成される楽曲紹介ページ３１を、自己が画像情報の表示に利用可能なディスプレイ２０に対し表示可能であるか否かを判別する（ステップＳＰ２）。その結果、中央処理ユニット１５は、かかるディスプレイ２０に対しページ表示仕様通りの楽曲紹介ページ３１を表示可能であると判別したときには、ページ生成用提供情報に基づいて、当該ページ表示仕様通りの楽曲紹介ページ３１を生成して（ステップＳＰ３）、ディスプレイ２０に対し、かかる楽曲紹介ページ３１を表示する（ステップＳＰ４）。
【００５９】
一方、データ取得装置１１の中央処理ユニット１５は、ディスプレイ２０に対しページ表示仕様通りの楽曲紹介ページ３１の表示が不可能であると判別したときには、当該ディスプレイ２０がイメージ画像を表示可能な構成であるか否かを判別する（ステップＳＰ１０）。その結果、中央処理ユニット１５は、ディスプレイ２０がイメージ画像を表示可能な構成を有しているときには、ページ生成用提供情報内のテンプレート指定情報によって指定されている指定テンプレートに替えて、ディスプレイ２０に対し実際に表示可能な選定テンプレートを、イメージ画像データ等のプレート内表示データ３０と共に用いて表示可能楽曲紹介ページ４３を生成し（ステップＳＰ１１）、当該ディスプレイ２０に対して、かかる表示可能楽曲紹介ページ４３を表示する（ステップＳＰ４）。
【００６０】
またデータ取得装置１１の中央処理ユニット１５は、ディスプレイ２０がイメージ画像を表示可能な構成を有してはいないとき、ページ生成用提供情報内のネットワークアドレスに従って対応するページ内表示データ３０を取得すると共に、当該ページ内表示データ３０として取得したイメージ画像データのファイル名を、対応する文字に変換して第２の情報としての文字データを生成可能であるか否かを判別する（ステップＳＰ１３）。その結果、中央処理ユニット１５は、かかるイメージ画像データのファイル名が、文字に変換可能なファイル名であると、変換テーブルに基づいて、当該イメージ画像データのファイル名から対応する文字データを生成する（ステップＳＰ１４）。そして中央処理ユニット１５は、イメージ画像データのファイル名から生成した第２の情報としての文字データを、選定テンプレートデータや、音楽データ配信サーバＳＶからプレート内表示データ３０として取得していた文字データと共に用いて表示可能楽曲紹介ページ４７を生成し（ステップＳＰ１５）、ディスプレイ２０に対して、かかる表示可能楽曲紹介ページ４７を表示する（ステップＳＰ４）。
【００６１】
ところでデータ取得装置１１の中央処理ユニット１５は、音楽データ配信サーバＳＶからイメージ画像データを取得しても、所定数以上のイメージ画像データのファイル名を、対応する文字に変換して第２の情報としての文字データを生成し難いときには、表示処理部１９に対し、文字データ及びテンプレートデータ等を何ら送出しないようにして表示可能楽曲紹介ページ４７の生成を取り止める。そして中央処理ユニット１５は、このときディスプレイ２０に対し、表示不可能通知メッセージを表示して、ユーザに、楽曲紹介ページ３１を表示することができないことを通知する。
【００６２】
このようにしてデータ取得装置１１は、音楽データ配信サーバＳＶからページ生成用提供情報を受信した場合、画像情報の表示に使用可能なディスプレイ２０に対しページ表示仕様通りに生成される楽曲紹介ページ３１の表示が不可能であると判別したときには、ディスプレイ２０の表示能力に合わせて、かかる楽曲紹介ページ３１に替えて当該ディスプレイ２０に対し実際に表示可能な表示可能楽曲紹介ページ４３、４７を生成する。従ってデータ取得装置１１は、音楽データ配信サーバＳＶに対し、配信対象の楽曲の紹介を要求する毎に、自己のディスプレイ２０の表示能力に合わせて当該ディスプレイ２０に表示可能な楽曲紹介ページを生成させ、又は当該表示能力に合わせた楽曲紹介ページの生成に用いるページ生成用提供情報を生成させることを未然に回避させることができる。またデータ取得装置１１は、かかる構成により、音楽データ配信サーバＳＶに対し、ページ表示仕様の異なる複数の楽曲紹介ページ、又はこれら複数の楽曲紹介ページのそれぞれ生成に用いるページ生成用提供情報を予め用意させておき、配信対象の楽曲の紹介を要求する毎に、自己のディスプレイ２０の表示能力に合った楽曲紹介ページやページ生成用提供情報を特定させて提供させることも未然に回避させることができる。
【００６３】
以上の構成によれば、データ取得装置１１において、音楽データ配信サーバＳＶからページ生成用提供情報を受信した場合、当該ページ生成用提供情報に基づいて生成される楽曲紹介ページ３１を、自己が画像情報の表示に利用可能なディスプレイ２０に対し表示可能であるか否かを判別し、その結果、ディスプレイ２０に対し、かかる楽曲紹介ページ３１の表示が不可能であると判別したときには、表示可能楽曲紹介ページ４３、４７生成用の第２の情報としての選定テンプレートデータ及びページ内表示データ３０、４５に基づいて当該表示可能楽曲紹介ページ４３、４７を生成してディスプレイ２０に表示させるようにした。これによりデータ取得装置１１は、ディスプレイ２０に対し、予め規定されたページ表示仕様通りの楽曲紹介ページ３１の表示が不可能な場合でも、当該楽曲紹介ページ３１に対応する、当該ディスプレイ２０に対し実際に表示可能な表示可能楽曲紹介ページ４３、４７を生成するため、音楽データ配信サーバＳＶに対し、データ取得装置１１側の表示能力を何ら気にさせずに、１つのページ表示仕様の楽曲紹介ページを生成可能なページ生成用提供情報のみを保持させて、これをそのままデータ取得装置１１に提供させることができる。よってデータ取得装置１１は、画像情報の提供側である音楽データ配信サーバＳＶの負担を大幅に低減させることができる。
【００６４】
またデータ取得装置１１は、ディスプレイ２０に対し、ページ表示仕様通りの楽曲紹介ページ３１の表示が不可能であると判別したときでも、当該ディスプレイ２０がイメージ画像を表示可能な構成を有していると、音楽データ配信サーバＳＶ側で指定された指定テンプレートのみを、ディスプレイ２０で実際に表示可能な他の選定テンプレートに替え、かつ第１の情報としてのプレート内表示データ３０に基づくイメージ画像や文字等をそのまま用いるようにして表示可能楽曲紹介ページ４３を生成するようにした。従ってデータ取得装置１１は、ディスプレイ２０に対しページ表示仕様通りの楽曲紹介ページ３１の表示が不可能なときでも、音楽データ配信サーバＳＶ側でユーザに提示しようとしている楽曲紹介用の各種情報を、内容を変えずにユーザに提示することができる。
【００６５】
さらにデータ取得装置１１は、ディスプレイ２０に対し、ページ表示仕様通りの楽曲紹介ページ３１の表示が不可能であると判別したとき、当該ディスプレイ２０がイメージ画像を表示不可能な構成を有していると、音楽データ配信サーバＳＶから取得したイメージ画像データのファイル名を、対応する文字に変換するようにして第２の情報としての文字データを生成し、当該生成した文字データを用いて表示可能楽曲紹介ページ４７を生成するようにした。従ってデータ取得装置１１は、ディスプレイ２０がイメージ画像を表示不可能な構成を有していても、音楽データ配信サーバＳＶ側でユーザに提示しようとしている楽曲紹介用の各種情報を、提示形態を変えてユーザに提示することができる。
【００６６】
（３）他の実施の形態
なお上述した第２の実施の形態においては、データ取得装置１１において、ディスプレイ２０に対し、ページ表示仕様通りの楽曲紹介ページ３１の表示え不可能であると判別したときでも、当該ディスプレイ２０がイメージ画像を表示可能な構成を有していると、音楽データ配信サーバＳＶ側で指定された指定テンプレートのみを、ディスプレイ２０で実際に表示可能な他の選定テンプレートに替えるようにした場合について述べたが、本発明はこれに限らず、ディスプレイ２０の表示能力に合わせて指定テンプレート及びイメージ画像の画素を間引き、かつ文字のフォントを小さくする等して表示サイズを全体的に縮小した楽曲紹介ページを生成するようにしても良い。
【００６７】
かかる構成に加えて、データ取得装置１１では、ディスプレイ２０の表示能力に応じて表示可能楽曲紹介ページを生成する場合、複数のイメージ画像のイメージ画像表示サイズが異なるときには、所定サイズ以上のイメージ画像についてのみ、対応する文字に変換して第２の情報としての文字データを生成するようにしても良い。またデータ取得装置１１では、ディスプレイ２０に対し、第１の情報として取得した文字データに基づく文字を表示可能であるか否かを判別し、当該ディスプレイ２０に対し、かかる文字の表示が不可能であると判別したときには、ディスプレイ２０の表示能力に合わせて当該文字のフォントを変更し、また表示色を変更するようにしても良い。さらにデータ取得装置１１では、第１の情報として取得した文字データに基づく文字が漢字や図形であり、これらをディスプレイ２０に対し表示不可能であるときには、当該文字データを表示可能楽曲紹介ページの生成に用いる第２の情報から除外し、又は当該漢字や図形を、対応する仮名等の文字に変換して新たに第２の情報としての文字データを生成するようにしても良い。さらにまたデータ取得装置１１では、ページ表示仕様通りの楽曲紹介ページ３１がカラー画像であり、ディスプレイ２０がカラー画像の表示能力を有してはいないときには、かかる楽曲紹介ページを白黒画像に変換するようにしても良い。
【００６８】
また上述した第２の実施の形態においては、データ取得装置１１において、ディスプレイ２０がイメージ画像データを表示不可能な構成を有しているとき、当該イメージ画像データのファイル名を、対応する文字に変換して第２の情報としての文字データを生成するようにした場合について述べたが、本発明はこれに限らず、イメージ画像データの記憶位置を示すネットワークアドレスの少なくとも一部を、対応する文字に変換するための変換テーブルを用いて、当該ネットワークアドレスを、対応する文字に変換して第２の情報としての文字データを生成するようにしても良い。これに加えてデータ取得装置１１では、かかる変換テーブルを用いずに、イメージ画像データのファイル名や、ネットワークアドレス自体の文字をそのまま用いて当該文字でなる第２の情報としての文字データを生成するようにしても良い。
【００６９】
さらに上述した第２の実施の形態においては、データ取得装置１１において、選定テンプレートを用いて表示可能楽曲紹介ページ４３、４７を生成するようにした場合について述べたが、本発明はこれに限らず、選定テンプレートを用いずに表示可能楽曲紹介ページを生成するようにしても良い。
【００７０】
さらに上述した第２の実施の形態においては、データ取得装置１１において、音楽データ配信サーバＳＶから第１の情報として取得したイメージ画像データのファイル名の全て、又はほとんどを対応する文字に変換することができないとき（すなわち、予め設定された所定数以上のイメージ画像データのファイル名を、対応する文字に変換することができないとき）、予め設定された設定情報に従い、この際に音楽データ配信サーバＳＶから第１の情報として文字データを取得しているか否かにかかわらずに表示可能楽曲紹介ページ４７の生成を取り止めるようにした場合について述べたが、本発明はこれに限らず、予め設定された設定情報に従い、この際に音楽データ配信サーバＳＶから第１の情報として所定数以上の文字データを取得したとき、及び又は所定数以上のイメージ画像データのファイル名を、対応する文字に変換し得たときに、これら第１及び又は第２の情報としての文字データを用いて表示可能楽曲紹介ページを生成するようにしても良い。
【００７１】
さらに上述した第２の実施の形態においては、データ取得装置１１において、表示可能楽曲紹介ページの生成を取り止めたとき、ディスプレイ２０に対し表示不可能通知メッセージを表示するようにした場合について述べたが、本発明はこれに限らず、データ取得装置１１において筐体表面に比較的表示能力の低い第１のディスプレイを固定的に設けると共に、第１のディスプレイよりも表示能力の高い第２のディスプレイを着脱可能に設けるようにし、中央処理ユニット１５が第２のディスプレイの接続コネクタや表示処理部１９を介して、第２のディスプレイの装着の有無を検出しておくことで、例えば第２のディスプレイが装着されてはいない状態で表示可能楽曲紹介ページ４７の生成を取り止めたとき、第１のディスプレイに対し、第２のディスプレイを装着させるように促すメッセージを表示し、かかる第２のディスプレイが装着されたことを検出すると、第２のディスプレイに対しその表示能力に合わせて、ページ表示仕様通りの楽曲紹介ページ３１、又は表示可能楽曲紹介ページ４３、４７を生成して表示するようにしても良い。
【００７２】
さらに上述した第２の実施の形態においては、音楽データ配信サーバＳＶから指定テンプレート内にイメージ画像及び文字等を配置してなる楽曲紹介ページ３１生成用のページ生成用提供情報をデータ取得装置１１に送信するようにした場合について述べたが、本発明はこれに限らず、音楽データ配信サーバＳＶから１又は複数のイメージ画像のみでなる画像情報生成用、又は１又は複数の文字のみでなる画像情報生成用の第１の情報をデータ取得装置１１に送信するようにしても良い。そしてかかる第１の情報としては、画像情報の記憶位置を示すネットワークアドレスでも良いし、イメージ画像や文字のイメージ画像データや文字データ自体であっても良い。
【００７３】
さらに上述した第１及び第２の実施の形態においては、本発明による画像情報生成装置を、図１乃至図１１について上述した画像情報生成装置１及びデータ取得装置１１に適用するようにした場合について述べたが、本発明はこれに限らず、外部装置から画像情報生成用の第１の情報を受信するものであれば、パーソナルコンピュータや携帯電話機、ＰＤＡ（Personal Digital Assistance ）、ゲーム機器、コンパクトディスクプレーヤ、ＤＶＤ（Digital Versatile Disc）プレーヤ、ハードディスクレコーダ等の情報処理装置、またテレビジョン受像機等のように、この他種々の画像情報生成装置に広く適用することができる。すなわち上述した第１及び第２の実施の形態においては、図１乃至図１１について上述した機能回路ブロックや、ハードウェア回路ブロック及び画像情報生成表示プログラムを画像情報生成装置１及びデータ取得装置１１に実装した場合について述べたが、本発明はこれに限らず、これらを携帯電話機やパーソナルコンピュータ等、画像情報生成装置１及びデータ取得装置１１以外の種々の装置に実装するようにしても良く、これら機能回路ブロックや、ハードウェア回路ブロック及び画像情報生成表示プログラムを実装した装置であれば、上述した画像情報生成装置１及びデータ取得装置１１と同様の処理を実現することができる。
【００７４】
さらに上述した第１及び第２の実施の形態においては、本発明による画像情報生成プログラムを、図１乃至図１１について上述した画像情報生成表示プログラムに適用するようにした場合について述べたが、本発明はこれに限らず、データ取得装置１１に対し、図９について上述した画像情報生成表示処理手順ＲＴ１においてステップＳＰ４の処理のみを実行させないように構成した画像情報生成プログラム等のように、この他種々の構成の画像情報生成プログラムに広く適用することができる。
【００７５】
さらに上述した第１及び第２の実施の形態においては、画像情報生成用の第１の情報を送信する外部装置として、図１乃至図１１について上述した外部装置ＯＡ及び音楽データ配信サーバＳＶを適用するようにした場合について述べたが、本発明はこれに限らず、ホームページを提供可能なサーバ装置や、映画、プログラム、テキストデータ等の種々のコンテンツを提供するコンテンツ提供装置等のように、この他種々の外部装置を広く適用することができる。
【００７６】
さらに上述した第１及び第２の実施の形態においては、外部装置から画像情報生成用の第１の情報を受信する受信部として、図１乃至図１１について上述した画像情報生成装置１の受信部２や、データ取得装置１１の中央処理ユニット１５、通信処理部２１及びネットワークインタフェース２２を適用するようにした場合について述べたが、本発明はこれに限らず、外部装置から画像情報生成用の第１の情報を受信するハードウェア回路構成の受信回路等のように、この他種々の受信部を広く適用することができる。
【００７７】
さらに上述した第１及び第２の実施の形態においては、受信部により受信された第１の情報に基づいて生成される画像情報が、利用可能な表示部に対し表示可能であるか否かを判別する判別部として、図１乃至図１１について上述した画像情報生成装置１の判別部３や、データ取得装置１１の中央処理ユニット１５を適用するようにした場合について述べたが、本発明はこれに限らず、受信部により受信された第１の情報に基づいて生成される画像情報が、利用可能な表示部に対し表示可能であるか否かを判別するハードウェア回路構成の判別回路等のように、この他種々の判別部を広く適用することができる。
【００７８】
さらに上述した第１及び第２の実施の形態においては、受信部により受信された第１の情報に基づいて生成される画像情報として、図１乃至図１１について上述したイメージ画像や文字、またこれらを用いて生成される楽曲紹介ページ３１を適用するようにした場合について述べたが、本発明はこれに限らず、１又は複数のイメージ画像データのみや、１又は複数の文字データのみを用いて生成される画像情報等のように、この他種々の画像情報を広く適用することができる。
【００７９】
さらに上述した第１及び第２の実施の形態においては、画像情報生成装置で利用可能な表示部として、図１乃至図１１について上述した表示部や、データ取得装置１１のディスプレイ２０を適用するようにした場合について述べたが、本発明はこれに限らず、画像情報生成装置に固定的に装着及び又は着脱可能に装着される１又は複数の表示部等のように、この他種々の表示部を広く適用することができる。
【００８０】
さらに上述した第１及び第２の実施の形態においては、判別部により表示部に対し画像情報の表示が不可能であると判別されたとき、第１の情報に対応する第２の情報を生成する対応情報生成部として、図１乃至図１１について上述した画像情報生成装置１の対応情報生成部４や、データ取得装置１１の中央処理ユニット１５を適用するようにした場合について述べたが、本発明はこれに限らず、判別部により表示部に対し画像情報の表示が不可能であると判別されたとき、第１の情報に対応する第２の情報を生成するハードウェア回路構成の対応情報生成回路等のように、この他種々の対応情報生成部を広く適用することができる。
【００８１】
さらに上述した第１及び第２の実施の形態においては、対応情報生成部により生成された第２の情報に基づいて、表示部に表示可能な表示可能画像情報を生成し、当該生成した表示可能画像情報を表示部に供給する画像情報生成部として、図１乃至図１１について上述した画像情報生成装置１の画像情報生成部５や、データ取得装置１１の中央処理ユニット１５及び表示処理部１９を適用するようにした場合について述べたが、本発明はこれに限らず、対応情報生成部により生成された第２の情報に基づいて、表示部に表示可能な表示可能画像情報を生成し、当該生成した表示可能画像情報を表示部に供給するハードウェア回路構成の画像情報生成回路等のように、この他種々の画像情報生成部を広く適用することができる。
【００８２】
さらに上述した第１及び第２の実施の形態においては、対応情報生成部により生成された第２の情報に基づいて生成される、表示部に表示可能な表示可能画像情報として、図１乃至図１１について上述した表示可能楽曲紹介ページ４３及び４７を適用するようにした場合について述べたが、本発明はこれに限らず、イメージ画像のみや文字のみ等のように、この他種々の表示可能画像情報を広く適用することができる。
【産業上の利用可能性】
【００８３】
本発明は、外部装置から画像情報生成用の第１の情報を受信するパーソナルコンピュータ等の画像情報生成装置に利用することができる。
【図面の簡単な説明】
【００８４】
【図１】本発明による画像情報生成装置の機能回路ブロックによるハードウェア構成の一実施の形態を示すブロック図である。
【図２】第２の実施の形態による音楽データ提供システムの全体構成を示す略線図である。
【図３】データ取得装置のハードウェア回路ブロックによるハードウェア構成を示すブロック図である。
【図４】楽曲紹介ページの生成に用いるプレート内表示データの構成を示す略線図である。
【図５】楽曲紹介ページの構成を示す略線図である。
【図６】表示可能楽曲紹介ページの構成（１）を示す略線図である。
【図７】イメージ画像データのファイル名と文字データとの変換の説明に供する略線図である。
【図８】表示可能楽曲紹介ページの構成（２）を示す略線図である。
【図９】画像情報生成表示処理手順を示すフローチャートである。
【図１０】表示可能画像情報生成サブルーチンを示すフローチャートである。
【図１１】画像情報表示サブルーチンを示すフローチャートである。
【符号の説明】
【００８５】
１……画像情報生成装置、２……受信部、３……判別部、４……対応情報生成部、５……画像情報生成部、１１……データ取得装置、１５……中央処理ユニット、１９……表示処理部、２０……ディスプレイ、２１……通信処理部、２２……ネットワークインタフェース、３０、４５……プレート内表示データ、３１……楽曲紹介ページ、３２……タイトル画像、３７、３７Ａ……文字、３３乃至３６……ジャケット画像、３８乃至４０……表示切替画像、４３、４７……表示可能楽曲紹介ページ、ＯＡ……外部装置、ＲＴ１……画像情報生成表示処理手順、ＳＶ……音楽データ配信サーバ。
【図１】
2006350817.tif 000003
【図２】
2006350817.tif 000004
【図３】
2006350817.tif 000005
【図４】
2006350817.tif 000006
【図５】
2006350817.tif 000007
【図６】
2006350817.tif 000008
【図７】
2006350817.tif 000009
【図８】
2006350817.tif 000010
【図９】
2006350817.tif 000011
【図１０】
2006350817.tif 000012
【図１１】
2006350817.tif 000013